(57)【要約】【課題】遊技機裏面の制御装置（基板）の配置を大幅に変更することなく、大型の基板を備えた表示制御装置を収装して製造コストの上昇を抑制する。【解決手段】遊技盤に配設されて変動表示を行う変動表示装置８と、遊技盤の裏面に配設されて変動表示装置８を制御する表示制御装置１５０とを備えた遊技機において、変動表示装置８を内部に収容するとともに、この変動表示装置８の裏面側に表示制御装置１５０を収容するケース１６０を遊技盤の裏面に配設し、ケース１６０は、変動表示装置８を収容する前部ケース１６１と、表示制御装置１５０を収容する後部ケース１６２とから構成され、後部ケース１６２は、前部ケース１６１に対して所定の方向へずれた位置に形成される。【選択図】　図４
2004024395.tif 000002
【特許請求の範囲】
【請求項１】
遊技盤に配設されて変動表示を行う表示手段と、前記遊技盤の裏面に配設されて表示手段を制御する表示制御基板とを備えた遊技機において、
前記表示手段を内部に収容するとともに、この表示手段の裏面側に前記表示制御基板を収容するケースを遊技盤の裏面に配設し、
前記ケースは、
前記表示手段を収容する第１の収容部と、
前記表示制御基板を収容する第２の収容部とから構成され、
前記第１の収容部に収容される前記表示手段を遊技盤のほぼ中央に設けられる開口部に対応するように前記ケースを遊技盤裏面側に取り付ける第１の取り付け手段と、
前記第１の収容部に対して所定の方向へずれた位置に前記第２の収容部を取り付ける第２の取り付け手段と、
を備えたことを特徴とする遊技機。
【請求項２】
前記ケースは、第１の収容部と第２の収容部とを画成する画成部材を備え、前記第１の収容部と第２の収容部にはそれぞれ独立した換気手段を形成したことを特徴とする請求項１に記載の遊技機。
【請求項３】
前記画成部材の遊技機前面側となる位置に前記表示手段を所定間隔空けて固定するとともに、前記画成部材の遊技機裏面側となる位置に前記表示制御基板を所定間隔空けて固定して、表示手段用空間と基板用空間とを画成し、
前記換気手段は、前記第１の収容部の前記表示手段用空間と前記第２の収容部の前記基板用空間とを換気可能としたことを特徴とする請求項２に記載の遊技機。
【請求項４】
前記第２の取り付け手段は、前記第２の収容部を、前記第１の収容部に対して脱着自在に構成したことを特徴とする請求項１ないし請求項３のいずれか一つに記載の遊技機。
【請求項５】
前記第２の収容部を前記第１の収容部に対して所定方向へずれた位置に取り付け、このずれた領域に空間部を形成し、
前記第２の取り付け手段を前記空間部に設けたことを特徴とする請求項１ないし請求項４のいずれかひとつに記載の遊技機。
【請求項６】
遊技機の裏面側に当該遊技機を作動させるための電気装置を設け、
前記第２の収容部を前記第１の収容部に対して所定方向へずれた位置に取り付け、このずれた領域に空間部を形成し、
前記空間部の遊技機裏面側となる位置に前記電気装置を重なるように配設することを特徴とする請求項１ないし請求項５のいずれか一つに記載の遊技機。
【請求項７】
前記換気手段は、電気的に駆動されるファンと、前記ケースに開口されてケース内に空気を取り入れる取り入れ口と、ケース内の空気を排出する排気口とを備え、
前記排気口は、前記空間部に空気を排出するように形成されることを特徴とする請求項６に記載の遊技機。
【発明の詳細な説明】
【０００１】
【発明の属する技術分野】
本発明は、変動表示装置を制御する表示制御装置を一体的に取り付ける遊技機の改良に関する。
【０００２】
【従来の技術】
遊技機には、図柄（識別情報）の変動表示等を行うために、遊技盤の所定の位置に液晶ディスプレイ（ＬＣＤ）やＣＲＴなどの変動表示装置を配置し、また、この変動表示装置の裏面には、変動表示装置を制御する表示制御装置を設けたものが知られている。
【０００３】
変動表示装置にＬＣＤを採用した場合では、ＬＣＤの裏面に表示制御装置（基板）を配置し、変動表示装置と表示制御装置を一体的にケースへ収装するものが知られている。
【０００４】
また、近年の変動表示では、従来の２Ｄ（２次元画像）による表示に加えて、３Ｄ（３次元画像）の表示を行って変動表示ゲームの興趣を高めるものも採用されている。
【０００５】
【発明が解決しようとする課題】
ところで、近年の遊技機では表示装置が大型化するのに加えて、変動表示ゲームを３Ｄで表示するものでは、グラフィック性能の高性能化を図るため、３Ｄ描画専用の素子（ＶＤＰ＝ビデオ・ディスプレイ・プロセッサ）の付加や、テクスチャバッファ等に用いる記憶領域の増大が必要となり、制御装置の基板上に配置される素子が増大し、この結果、表示制御装置を構成する基板も大型化する。
【０００６】
しかしながら、従来の遊技機に、大型の基板を備えた表示制御装置を配置しようとすると、表示制御装置に隣接する基板の配設位置を変更する必要が生じ、この結果、遊技機裏面の制御装置の配置を全面的に見直す必要が生じ、製造コストの大幅な上昇を招くという問題があった。
【０００７】
また、上記３Ｄ表示を行う表示制御装置のＶＤＰは、発熱量も大きくなるため、円滑に放熱（冷却）を行えるように構成する必要があり、特に、大型の変動表示装置（ＬＣＤ）と組み合わせる場合では、ＬＣＤを構成するバックライトの発熱量も大きくなるため、表示制御装置と変動表示装置の冷却を、それぞれ円滑に行う必要が生じ、遊技機裏面の配置上の制約に冷却に関する制約が加わり、上記従来例のようにＬＣＤの裏面に基板を取り付ける構成では、発熱量の大きい方（例えばＬＣＤ）の熱が基板に加わり、基板上の素子の冷却を妨げるという問題があった。
【０００８】
そこで本発明は、上記問題点に鑑みてなされたもので、遊技機裏面の制御装置（基板）の配置を大幅に変更することなく、大型の基板を備えた表示制御装置を収装して製造コストの上昇を抑制し、さらに、表示制御装置と変動表示装置の冷却を円滑に行うことを目的とする。
【０００９】
【課題を解決するための手段】
第１の発明は、遊技盤に配設されて変動表示を行う表示手段と、前記遊技盤の裏面に配設されて表示手段を制御する表示制御基板とを備えた遊技機において、前記表示手段を内部に収容するとともに、この表示手段の裏面側に前記表示制御基板を収容するケースを遊技盤の裏面に配設し、前記ケースは、前記表示手段を収容する第１の収容部と、前記表示制御基板を収容する第２の収容部とから構成され、前記第１の収容部に収容される前記表示手段を遊技盤のほぼ中央に設けられる開口部に対応するように前記ケースを遊技盤裏面側に取り付ける第１の取り付け手段と、前記第１の収容部に対して所定の方向へずれた位置に前記第２の収容部を取り付ける第２の取り付け手段と、を備える。
【００１０】
また、第２の発明は、前記第１の発明において、前記ケースは、第１の収容部と第２の収容部とを画成する画成部材を備え、前記第１の収容部と第２の収容部にはそれぞれ独立した換気手段を形成する。
【００１１】
また、第３の発明は、前記第２の発明において、前記画成部材の遊技機前面側となる位置に前記表示手段を所定間隔空けて固定するとともに、前記画成部材の遊技機裏面側となる位置に前記表示制御基板を所定間隔空けて固定して、表示手段用空間と基板用空間とを画成し、前記換気手段は、前記第１の収容部の前記表示手段用空間と前記第２の収容部の前記基板用空間とを換気可能とする。
【００１２】
また、第４の発明は、前記第１ないし第３の発明のいずれかひとつにおいて、前記第２の取り付け手段は、前記第２の収容部を、前記第１の収容部に対して脱着自在に構成する。
【００１３】
また、第５の発明は、前記第１ないし第４の発明のいずれかひとつにおいて、前記第２の収容部を前記第１の収容部に対して所定方向へずれた位置に取り付け、このずれた領域に空間部を形成し、前記第２の取り付け手段を前記空間部に設ける。
【００１４】
また、第６の発明は、前記第１ないし第５の発明のいずれかひとつにおいて、遊技機の裏面側に当該遊技機を作動させるための電気装置を設け、前記第２の収容部を前記第１の収容部に対して所定方向へずれた位置に取り付け、このずれた領域に空間部を形成し、前記空間部の遊技機裏面側となる位置に前記電気装置を重なるように配設する。
【００１５】
ここで、遊技機を作動させる電気装置とは、表示制御基板（装置）以外の制御装置（基板）や電源装置等を示す。
【００１６】
また、第７の発明は、前記第６の発明において、前記換気手段は、電気的に駆動されるファンと、前記ケースに開口されてケース内に空気を取り入れる取り入れ口と、ケース内の空気を排出する排気口とを備え、前記排気口は、前記空間部に空気を排出するように形成される。
【００１７】
【発明の効果】
第１の発明は、表示手段と表示制御基板はケース内に一体的に収容されるとともに、表示手段を収容する第１の収容部と表示制御基板を収容する第２の収容部とに分かれており、遊技盤に取り付けられる第１の収容部を基準として、第２の収容部を所定の方向へずらしたことにより、他の電気装置（制御装置等）や遊技球の流路との干渉を避けることができ、大型の基板で構成された表示制御装置を採用した場合であっても、遊技機裏面の変更を最小限に留めて、製造コストの上昇を抑制することができる。
【００１８】
また、第２の発明は、第１の収容部と第２の収容部との間に画成部材を設けて２つの空間に仕切り、さらに、それぞれ独立した換気手段を備えることで、表示手段の冷却と、表示制御基板の冷却をそれぞれの発熱量に応じて円滑に行うことが可能となる。
【００１９】
また、第３の発明は、画成部材により表示手段用空間と基板用空間とを画成して換気手段が表示手段用空間と基板用空間とを換気可能としたので、表示手段の発熱により表示制御基板が直接加熱されるのを防ぎ、あるいは、表示制御基板の発熱により表示手段の裏面が直接加熱されるのを防いで、表示手段と表示制御基板の冷却性能を確保することができ、装置の信頼性を高めることができる。
【００２０】
また、第４の発明は、第２の収容部は、第１の収容部に対して脱着自在に構成したので、容易に表示制御基板の交換を行うことができる。
【００２１】
また、第５の発明は、ずれた領域に空間部を形成して、第２の取り付け手段をこの空間部に設けたので、第２の取り付け手段を第１の収容部の外周から突出することなく配置することができ、大型の表示手段を採用した場合でも、配置を容易に行うことができる。
【００２２】
また、第６の発明は、空間部の遊技機裏面側となる位置に電気装置を重なるように配設したので、第１の収容部との干渉を避けながら電気装置を遊技機の中心方向へずらして配設したり、大型化することができ、遊技機裏面側の限られた領域の電気装置の配置レイアウトの自由度が増す。
【００２３】
また、第７の発明は、排気口が、ずれた領域となる空間部に形成されるので、ケース外への空気の排出場所が確保され、換気手段を充分機能させることが可能となる。
【００２４】
【発明の実施の形態】
以下、添付図面に基づいて、本発明の実施の形態について説明する。
【００２５】
図１は、本発明の一実施形態を示す遊技機（カード球貸ユニットを併設したＣＲ機）全体の構成を示す正面図で、図２は遊技機の背面図である。
【００２６】
遊技機（パチンコ遊技機）１の前面枠３は本体枠（外枠）４にヒンジ５を介して開閉回動可能に組み付けられ、遊技盤６は前面枠３の裏面に取り付けられた収納フレーム５０（図２参照）に収容される。図１は、便宜上遊技機の正面にあてはめた状態の図である。
【００２７】
遊技盤６の表面には、変動表示装置（表示手段）８、大入賞口を備えた変動入賞装置１０、一般入賞口１１〜１４、始動口１６、普通図柄始動ゲート２７Ａ、２７Ｂ、普通図柄表示器、普通変動入賞装置等が配設された遊技領域が形成される。前面枠３には、遊技盤６の前面を覆うカバーガラス１８が取り付けられている。また、液晶パネルなどで構成された変動表示装置８は、遊技盤６のほぼ中央に設けられる開口部に対応するように取り付けられる。
【００２８】
変動表示装置８は、表示領域に、左、中、右の三つの表示図柄（識別情報）が表示される。これらの表示図柄には、例えば「０」〜「９」までの各数字と、「Ａ」〜「Ｅ」のアルファベット文字が割り当てられている。
【００２９】
変動表示装置８は、始動口１６へ遊技球の入賞があると、前述した数字、文字で構成される表示図柄が順に表示される。始動口１６への入賞が所定のタイミングでなされたとき（具体的には、入賞検出時の特別図柄乱数カウンタ値が当たり値であるとき）には、大当たり状態となり、三つの表示図柄が揃った状態（大当たり図柄）で停止する。このとき、変動入賞装置１０の大入賞口が所定の時間（例えば３０秒）だけ大きく開き、多くの遊技球を獲得することができる。
【００３０】
この始動口１６への遊技球の入賞は、特別図柄始動センサで検知される。この遊技球の通過タイミング（具体的には、入賞検出時点での遊技制御装置１００（図２参照）内に備えられた特別図柄乱数カウンタの値）は、特別図柄入賞記憶として、遊技制御装置１００内の所定の記憶領域（特別図柄乱数記憶領域）に、最大で連続した４回分を限度に記憶される。この特別図柄入賞記憶の記憶数は、変動表示装置８の上側に設けられた４つのＬＥＤからなる特別図柄記憶状態表示器１７に表示される。遊技制御装置１００は、特別図柄入賞記憶に基づいて、変動表示装置８にて変動表示ゲームを行う。
【００３１】
前面枠３の下部の開閉パネル２０には球を打球発射装置に供給する上皿２１が、固定パネル２２には下皿２３及び打球発射装置の操作部２４等が配設される。
【００３２】
カード球貸ユニット用の操作パネル２６には、カードの残高を表示するカード残高表示部（図示省略）と、球貸しを指令する球貸しスイッチ２８と、カードの返却を指令するカード返却スイッチ３０等が設けられている。
【００３３】
カード球貸ユニット２には、前面のカード挿入部２５に挿入されたカード（プリペイドカード等）のデータの読込、書込等を行うカードリーダライタと球貸制御装置が内蔵され、カード球貸ユニット用の操作パネル２６は遊技機１の上皿２１の外面に形成される。
【００３４】
図２は遊技機１の裏側を示すもので、前面枠３の裏面には、遊技盤６を収納する収納フレーム５０が取り付けられ、収納フレーム５０の裏面に、各装置を配設する裏機構盤６１が取り付けられる。
【００３５】
裏機構盤６１の上部には、外部から電源を取り入れるターミナル基板４４、枠用外部端子４２Ａ、遊技球を貯留する球貯留タンク４６、球貯留タンク４６の球を樋ユニット部４７に導くシュート４８が取り付けられる。
【００３６】
裏機構盤６１の右下には、樋ユニット部４７の球を遊技機１前面側の上皿２１、下皿（受皿）２３に払い出す排出装置（図示せず）を制御する排出制御装置４００が取り付けられ、また、裏機構盤６１の左側には、電源装置（電源基板）２５０が配設される。
【００３７】
裏機構盤６１の下部には、遊技を統括的に制御する遊技制御装置１００、排出制御装置４００等が配設され、遊技制御装置１００の奥方に一部を隠した位置には、発射装置５００を制御する発射制御装置５５０が配設される。
【００３８】
前面枠３の下部には、中央にオーバーフロー流路（上皿２１と下皿２３とを結ぶ流路）等の連絡樋ボックス６２が、左側に発射装置５００が、右側にスピーカ９５が取り付けられ、スピーカの収納カバーにカード球貸ユニット２と接続するための中継基板３２が取り付けられる。
【００３９】
遊技盤６の裏面側のほぼ中央には、変動表示装置８を制御する表示制御装置１５０が配設される。この表示制御装置１５０の基板（表示制御基板）は、３Ｄ画像を処理するための専用プロセッサや、ポリゴン描画に用いるテクスチャ等を格納したＲＯＭなど多数の素子が配置された大型の基板で構成される。
【００４０】
表示制御装置１５０は、後述するように、外部から視認可能なケース内に変動表示装置８と共に収装され、表示ユニット１６０を構成する。
【００４１】
図３は、変動表示装置８と表示制御装置１５０を一体的に収装した表示ユニット１６０を遊技盤側から見たときの斜視図で、図４は表示ユニット１６０の分解斜視図を示し、図５は遊技盤側から見た表示ユニット１６０の正面図、図６は遊技機裏面から見た表示ユニット１６０の背面図である。
【００４２】
図３、図４において、表示ユニット１６０は、変動表示装置（液晶パネル）８を収装する前部ケース１６１（第１収容部）と、遊技機裏面側へ突出して表示制御装置（表示制御基板）１５０を収装する後部ケース１６２（第２収容部）を結合したものである。
【００４３】
金属製のベース部材１８０の前方（遊技機前面側）に所定間隔を空けて変動表示装置８を固定し、そしてこのベース部材１８０の後方（遊技機裏面側）に表示制御装置１５０の基板１５０Ａを所定間隔を空けて固定して、内部ユニットを構成し、この内部ユニットとして、変動表示装置８と表示制御装置１５０はケース内に収納される。
【００４４】
そして、ほぼ方形の開口部１６１Ａを備えて枠状に形成された前部ケース１６１の内周に、この内部ユニットの変動表示装置８を固定し、内部ユニットを前部ケースに取り付ける。また、遊技盤６側に面した前部ケース１６１の開口部には、透明の保護板８０が取り付けられて、この表示ユニット１６０の前面を塞ぐとともに遊技球が変動表示装置８に衝突するのを防止している。
【００４５】
そして、この前部ケース１６１の外周には、複数のブラケット１７０、１７１（第１の取り付け手段）が突設され、このブラケット１７０に設けた貫通孔に締結部材を挿通することで表示ユニット１６０が遊技盤６の裏面に装着される裏面構成部材（図示省略）に固定される。
【００４６】
また、前部ケース１６１の外周上面と下面には、変動表示装置８の熱を放出するため、多数のスリット（第１換気手段）１７２、１７３が貫通形成され、前部ケース１６１の上面に設けたスリット１７２から、変動表示装置８によって熱せられた空気が放出され、前部ケース１６１の下面に設けたスリット１７３から外気が導入され、変動表示装置８の冷却が行われる。
【００４７】
図４で示すように、変動表示装置８の裏面側には、表示制御装置１５０を取り付けるためのベース部材１８０が、後述するように取り付けられる。
【００４８】
また、前部ケース１６１の裏面側には、図３、図５で示すように、変動表示装置８よりも面積の大きい表示制御装置１５０を収装するため、側方及び下方に突出した方形の張り出し部（切り欠き部）１６１Ｂが形成される。
【００４９】
そして、遊技機裏面側の前部ケース１６１の開口は、表示制御装置１５０の基板を覆う開口部１６２Ａを備えた箱状の後部ケース１６２が脱着自在に取り付けられる。
【００５０】
ここで、後部ケース１６２の形状は、図６に示すように、長方形の箱状部材の図中右下に方形の張り出し部１６２Ｂを設けており、この張り出し部１６２Ｂが前部ケース１６１の張り出し部１６１Ｂを覆うように構成される。
【００５１】
また、後部ケース１６２の側面には、図４に示すように、一方の側面に吸気口１９０、１９１が多数の貫通孔により形成され、この吸気口１９０、１９１対向する空間部に位置する側面には排気口１９２が多数のスリットにより貫通形成されており、この排気口１９２に対向する基板側には排気ファン１９３が配設されて、表示制御装置１５０の基板に配設された素子の冷却を行う（第２換気手段）。
したがって、後部ケース１６２の背面は、図２において、樋ユニット部４７など排出機構や遊技球通路との干渉を回避するよう、一部を切り欠いた長方形の面を備える。
【００５２】
次に、前部ケース１６１と後部ケース１６２の結合は、図６に示すように、遊技機裏面から見て、後部ケース１６２の左辺１６２Ｌは、前部ケース１６１の左辺１６１Ｌに対して所定量だけ図中右側にオフセットしており、後部ケース１６２に覆われない前部ケース１６１の裏面オフセット部にはカバー面１６６が形成される。なお、オフセットとは、所定の方向へ所定量だけずれて配置するものであり、この例では、図６で示すように、前部ケース１６１の中心１６１ｃ（変動表示装置８の中心）に対して、後部ケース１６２の中心１６２ｃが水平面内で所定の方向（図中右下）へ所定量だけずれた位置に配置されることを指す。このことはより、後部ケース１６２がオフセットしている分だけ遊技機裏面側から見て左側に空間部が形成される。
【００５３】
さらに、表示制御装置１５０の基板を収装する前部ケース１６１の張り出し部１６１Ｂが図５において左下へ突出するため、裏面側から取り付ける後部ケース１６２も、図６に示すように、変動表示装置８を収装する前部ケース１６１に対して図中右下へオフセットすることになる。
【００５４】
これにより、図２に示すように、遊技盤６のほぼ中央に配置される変動表示装置８に対して、後部ケース１６２に覆われる表示制御装置１５０は、図中右下へオフセットして取り付けられることになり、また、電源装置（電気装置）２５０が空間部の遊技機裏面側となる位置に配設されている。
【００５５】
なお、電源装置２５０を遊技機に取り付けた状態で、本実施形態は、前記空間部がそのまま空間を維持する高さに電源装置２５０を配置するようにしたが、空間部内に電源装置２５０の一部がくい込んだ状態となっても良い。
【００５６】
この電気装置２５０の奥側に前記切り欠き部が位置して前部ケース１６１が入り込んだ状態で電源装置２５０と表示制御装置１５０が隣り合って配設されることで、図中左側の電源装置２５０は表示制御装置１５０に干渉されることが無く、従来の配設位置を変更することなく、前部ケース１６１の裏面の一部を覆うように取り付けられる。また、後部ケース１６２の図中右上を切り欠いたように形成したため、図２において、樋ユニット部４７や排出機構との干渉を回避することができ、大型の基板によって構成された表示制御装置１５０を採用しながら、他の制御装置や遊技球通路を変更する必要がなくなって、製造コストの上昇を抑制することが可能となるのである。
【００５７】
また、図６において、後部ケース１６２と前部ケース１６１の右側の側面には、紙面の貫通方向でのみ係合可能な引っかけ部１６３が形成され、さらに、図６、図７で示すように、前部ケース１６１の裏面に設けたオフセット部のカバー面１６６には可撓性の爪１６４（係止部材）が立設され、この爪１６４と係合する係合部１６５が後部ケース１６２に形成され（爪１６４と係合部１６５により第２の取り付け手段を構成）、後部ケース１６２の左辺１６２Ｌ（左側の側面）は爪１６４によって脱着自在に結合される。なお、このオフセット部（カバー面１６６で覆われる領域）は、前部ケース１６１の裏面が遊技盤の裏面に露出する面で、カバー面１６６はこの面を封止する。
【００５８】
次に、図８を参照しながら表示制御装置１５０の基板の取り付け構造について説明する。
【００５９】
図８は、表示ユニット１６０を分解した状態の左側面図で、図９は、同じく表示ユニット１６０を分解した状態の右後方からの斜視図で、図１０は、同じく表示ユニット１６０を分解した状態の左後方からの斜視図で、図１１は、ベース部材の斜視図、図１２は、内部ユニットの側面図を示す。
【００６０】
これら図８〜図１２において、前部ケース１６１には、前述したように、内部ユニットが取り付けられる。そして、この内部ユニットのベース部材１８０は、前部ケース１６１の開口部１６１Ａとほぼ同一形状に形成されたベース板面１８０１を含み、変動表示装置８を前部ケース１６１に収納した状態で内部ユニットを固定すると、前部ケース１６１の後方側開口部がこのベース部材１８０のベース板面１８０１により塞がれる状態となる。
【００６１】
このベース部材１８０は、図９、図１１、図１２にも示すように、ベース板面１８０１から遊技機前面側に向けて所定の長さの脚部１８１０を形成し、その脚部１８１０の先端に変動表示装置取り付け部１８１１が形成される。この変動表示装置取り付け部１８１１に変動表示装置８を固定すると、変動表示装置８裏面と、ベース部材１８０のベース板面１８０１との間に所定空間が形成される。
【００６２】
そして、このベース板面１８０１から遊技機裏面側に向かって、後部ケース１６２の上面側と下面側にそれぞれ沿うように脚部１８１、１８１と、この脚部１８１に表示制御装置１５０の基板１５０Ａを固定するための基板固定部１８２が形成される。ここで、図４にも示すように、脚部１８１は板状部材で形成されるので、ベース部材１８０はほぼコの字状となって前部ケース１６１の裏面を覆い、変動表示装置８の裏面から所定の間隔を置いて表示制御装置１５０の基板１５０Ａを支持する。なお、基板１５０Ａは部品実装面を後部ケース１６２に向けて固設される。
【００６３】
また、ベース部材１８０には、ベース板面１８０１の裏面と基板固定部１８２の間に、サブ基板１５０Ｂを固定する第２基板固定部１８３が形成される。本実施形態では、変動表示装置８のインバータ基板が固定されているが、表示制御装置１５０の基板面積が大きいときには、一部をサブ基板１５０Ｂとして分割し、２階建て構造として表示制御装置１５０の面積の増大を抑制することもできる。
【００６４】
こうして、前部ケース１６１に、内部ユニットを固定することで、変動表示装置８の裏面から所定の間隔（距離）離れたところにベース部材１８０のベース板面１８０１が位置し、このベース板面１８０１がこの前部ケース１６１の開口部全部を覆うように配設される。そして、このベース板面１８０１を間に挟んで前記変動表示装置８の反対側に所定間隔を空けて表示制御装置１５０の基板１５０Ａが配設される。そして、この状態からさらに後部ケース１６２を取り付けると冷却のための貫通孔を除いて内部は封止される。
【００６５】
表示ユニット１６０の内部は、ベース部材１８０のベース板面（画成部材）１８０１によって、変動表示装置８とベース板面１８０１との間の空間（前部空間（表示手段用空間））が画成される。また、図１０にも示すように、後部ケース１６２の空間は、さらに、ベース板面１８０１と基板１５０Ａとの間の空間（第１後部空間（基板用空間））と、基板１５０Ａと後部ケース後部壁面と空間（第２後部空間）との２つの空間が形成されている。変動表示装置８側の空間には、図４で示したように、前部ケース１６１の上面及び下面に設けたスリット１７２、１７３より内部の換気が行われ、変動表示装置８の冷却を行うことができ、また、変動表示装置８の裏面からベース部材１８０の基板固定部１８２までは、所定の間隔（前部空間と第１後部空間）を設けて所定の空気量を確保するようにしたので、変動表示装置８からの発熱により基板１５０Ａが加熱されるのを抑制できる。
【００６６】
また、基板１５０Ａ側の空間には、排気口１９２に対向する基板１５０Ａ側には排気ファン１９３が配設されて基板１５０Ａがこの排気ファン１９３のほぼ中央の高さに配設されており、第１後部空間と第２後部空間ともにこの排気ファン１９３を作動させることで内部の換気が行われる。よって、基板１５０Ａの部品実装面と後部ケース１６２の後部壁面の空間（第２の後部空間）は、排気ファン１９３により吸気口１９０、１９１から導入した外気により各素子の冷却を行った後、排気口１９２より排出する。
【００６７】
なお、変動表示装置８の裏面からベース板面１８０１で仕切られる空間の空気量は、スリット１７２、１７３の開口量と、変動表示装置８の発熱量に応じて適宜設定される値であり、空気の温度上昇が過大になるのを抑制し、変動表示装置８の発熱により基板１５０Ａの加熱を抑制するものである。
【００６８】
また、後部ケース１６２の吸気口１９０、１９１及び排気口１９２は、側面に設けたが、吸気口１９０、１９１を下面に、排気口１９２を上面に設けても良い。
【００６９】
また、今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【図面の簡単な説明】
【図１】パチンコ機の正面図である。
【図２】パチンコ機の裏面図である。
【図３】表示ユニットの斜視図である。
【図４】同じく、表示ユニットの斜視分解図である。
【図５】遊技盤側から見た表示ユニットの正面図である。
【図６】遊技機裏面から見た表示ユニットの背面図である。
【図７】遊技機裏面から見た表示ユニットの斜視図である。
【図８】表示ユニットの側面図で、前部ケースと後部ケースを分解した状態を示す。
【図９】同じく表示ユニットを分解した状態の右後方からの斜視図である。
【図１０】同じく表示ユニットを分解した状態の左後方からの斜視図である。
【図１１】ベース部材の斜視図
【図１２】内部ユニットの側面図を示す。
【符号の説明】
８　変動表示装置
１００　遊技制御装置
１５０　表示制御装置（変動表示制御手段）
１６１　前部ケース
１６２　後部ケース
１５０Ａ　基板
１８０　ベースユニット
２５０　電源装置
【図１】
2004024395.tif 000003
【図２】
2004024395.tif 000004
【図３】
2004024395.tif 000005
【図４】
2004024395.tif 000006
【図５】
2004024395.tif 000007
【図６】
2004024395.tif 000008
【図７】
2004024395.tif 000009
【図８】
2004024395.tif 000010
【図９】
2004024395.tif 000011
【図１０】
2004024395.tif 000012
【図１１】
2004024395.tif 000013
【図１２】
2004024395.tif 000014